(57)【要約】【課題】  磁気による血行の改善作用を効果的に得ることを可能にした肩掛け運搬具を提供する。【解決手段】  肩ベルト２を備えた肩掛け運搬具において、肩ベルト２にその長手方向に沿って摺動自在の可動パッド５を設け、該可動パッド５に対して磁石８を取り付ける。肩ベルト２には可動パッド５の動きを規定するガイド６を設け、可動パッド５には磁石８の出し入れを許容するポケット１０を設けると良い。【選択図】  図１
2005253864.tif 000002
【特許請求の範囲】
【請求項１】
肩ベルトを備えた肩掛け運搬具において、前記肩ベルトにその長手方向に沿って摺動自在の可動パッドを設け、該可動パッドに対して磁石を取り付けた肩掛け運搬具。
【請求項２】
前記肩ベルトに前記可動パッドの動きを規定するガイドを設けた請求項１に記載の肩掛け運搬具。
【請求項３】
前記可動パッドに前記磁石の出し入れを許容するポケットを設けた請求項１又は請求項２に記載の肩掛け運搬具。
【請求項４】
前記磁石の磁束密度が１００〜３０００ガウスである請求項１〜３のいずれかに記載の肩掛け運搬具。
【発明の詳細な説明】
【技術分野】
【０００１】
本発明は、肩ベルトを備えた肩掛け運搬具に関し、さらに詳しくは、磁気による血行の改善作用を得るようにした肩掛け運搬具に関する。
【背景技術】
【０００２】
バックパックや肩掛けカバン等の肩掛け運搬具は、少なくとも１本の肩ベルトを有し、その肩ベルトを肩に掛けた状態で使用される。そのため、肩掛け運搬具による荷重は主として肩に掛かることになるので、これを長時間使用すると肩の血行が悪くなり、肩が凝るという不都合がある。
【０００３】
このような不都合を解消するために、肩ベルトに磁石を埋め込み、その磁石の磁気により血行の改善作用を得ることが提案されている（例えば、特許文献１参照）。しかしながら、血行が悪くなる部位は肩ベルトの当たり具合によって異なり、肩ベルトの当たり具合は体型や荷物量等によって異なっている。そのため、１本の肩ベルトに１個の磁石を埋め込んだ場合、磁気による血行の改善作用を必ずしも十分に得ることができない。一方、複数個の磁石を肩ベルトの異なる部位に分散させて埋め込んだ場合、磁気による血行の改善作用が確保されるものの、肩掛け運搬具の製造コストが必要以上に高くなってしまう。
【特許文献１】特開平８−５６７３４号公報
【発明の開示】
【発明が解決しようとする課題】
【０００４】
本発明の目的は、磁気による血行の改善作用を効果的に得ることを可能にした肩掛け運搬具を提供することにある。
【課題を解決するための手段】
【０００５】
上記目的を解決するための本発明の肩掛け運搬具は、肩ベルトを備えた肩掛け運搬具において、前記肩ベルトにその長手方向に沿って摺動自在の可動パッドを設け、該可動パッドに対して磁石を取り付けたことを特徴とするものである。
【発明の効果】
【０００６】
本発明では、肩ベルトの長手方向に沿って摺動自在の可動パッドを設け、該可動パッドに対して磁石を取り付けるため、肩ベルトに沿って可動パッドを動かすことで磁石の位置を任意に変更することが可能である。そのため、肩ベルトの当たり具合に応じて磁石の位置を変更するようにすれば、磁気による血行の改善作用を効果的に得ることができる。また、磁石を無駄な位置に配置する必要がないので、肩掛け運搬具の製造コストを抑制することができる。
【０００７】
本発明において、肩ベルトに可動パッドの動きを規定するガイドを設けることが好ましい。これにより、磁石を所望の位置に保持することができる。また、可動パッドには磁石の出し入れを許容するポケットを設けることが好ましい。つまり、肩掛け運搬具が縫製品である場合、検針を行うことが要求されるが、肩ベルトの可動パッドに磁石が埋め込まれた状態では金属探知機による検針を行うことができない。これに対して、可動パッドに磁石の出し入れを許容するポケットを設け、検針後に該ポケットに磁石を挿入するようにすれば、磁石を備えた肩掛け運搬具でありながら金属探知機による検針を行うことが可能になる。なお、磁石の磁束密度は１００〜３０００ガウスであると良い。
【発明を実施するための最良の形態】
【０００８】
以下、本発明の構成について添付の図面を参照しながら詳細に説明する。
【０００９】
図１〜図４は本発明の実施形態からなる肩掛け運搬具（バックパック）を示すものである。図１に示すように、本実施形態の肩掛け運搬具は、荷物を収容するための袋状の運搬部１と、運搬部１の上部に取り付けられた一対の肩ベルト２と、肩ベルト２の下端部と運搬部１の下部との間に挿入された補助ベルト３と、補助ベルト３の長さを調整するためのバックル４とを備えている。
【００１０】
上記肩掛け運搬具において、肩ベルト２には環状の可動パッド５がそれぞれ取り付けられている。つまり、環状の可動パッド５の中に肩ベルト２が挿入されている。そのため、可動パッド５は肩ベルト２の長手方向に沿って摺動自在である。
【００１１】
また、肩ベルト２にはその長手方向に沿って延長する帯状のガイド６が設けられている。図２に示すように、可動パッド５は布帛を多層に縫製した構造を有している。そして、ガイド６は可動パッド５の表側（肩に当接しない面）の布帛５ａ，５ｂの間に挿入され、これら布帛５ａ，５ｂがガイド６の両側で縫い糸７によって縫い合わされている。そのため、可動パッド５の動きはガイド６によって規定されている。つまり、可動パッド５はガイド６が延在する範囲内で肩ベルト２の長手方向への摺動が許容される一方で、肩ベルト２の周りには回転しないようになっている。
【００１２】
一方、可動パッド５の裏側（肩に当接する面）には、図３及び図４に示すように、磁石８が埋め込まれている。可動パッド５の裏側の布帛５ｃ，５ｄ，５ｅは、重ね合わせた状態で縫い糸９によって縫い合わされ、磁石８の出し入れを許容するポケット１０を構成している。ここでは、ポケット１０は磁石８を覆う内側の布帛５ｄと該布帛５ｄの開放端を覆う外側の布帛５ｅとを備え、これら２重の布帛５ｄ，５ｅにより磁石８をしっかりと保持するようになっている。また、ポケット１０において布帛５ｄ，５ｅの縁部を折り返してストッパーを形成すれば、磁石８の脱落をより確実に防止することができる。なお、可動パッド５の裏側にはメッシュ生地を使用すると良い。
【００１３】
各可動パッド５には少なくとも１個の磁石８を取り付けることが必要であるが、場合によっては、各可動パッド５に対して複数個の磁石８を取り付けるようにしても良い。磁石８の強さは特に限定されるものではないが、その磁束密度は１００〜３０００ガウス（１０〜３００ｍＴ）であることが望ましい。この磁束密度が１００ガウス未満であると血行の改善作用が不十分になる。磁石の磁束密度は高いほうが良いが、過度に高いものを使用するとコストの増加に繋がる。
【００１４】
上述した肩掛け運搬具を使用する場合、運搬部１を背負って肩ベルト２を肩に掛けるようにするが、そのとき肩ベルト２が肩に当たる位置は使用者の体型や荷物量等によって相違する。そこで、肩ベルト２に沿って可動パッド５を動かすことで、肩ベルト２が肩に当たる位置に磁石８を配置する。これにより、磁気による血行の改善作用を効果的に得ることができる。また、磁石８は位置の変更が可能であり、磁石８の設置数は必要最小限で良いので、肩掛け運搬具の製造コストを抑制することができる。
【００１５】
上記肩掛け運搬具は、金属ファスナー等の金属部品を含まない縫製品である場合、縫製後、磁石８を取り付ける前に金属探知機を用いて検針を行うことができる。この場合、精度が高い検針作業を効率良く行うことができる。磁石８は、検針後、可動パッド５のポケット１０に挿入すれば良い。
【００１６】
上述した実施形態ではバックパックについて説明したが、本発明は、カバン、ランドセル、リュックサック、ベビーキャリア、チャイルドキャリア、ショルダーバック等の種々の肩掛け運搬具を包含するものである。これら肩掛け運搬具の構成材料としては、布帛、天然皮革、合成皮革等を使用することが可能である。
【図面の簡単な説明】
【００１７】
【図１】本発明の実施形態からなる肩掛け運搬具（バックパック）を斜視図である。
【図２】図１の肩掛け運搬具における肩ベルトの要部の表側を切り欠いて示す平面図である。
【図３】図１の肩掛け運搬具における肩ベルトの要部の裏側を示す平面図である。
【図４】図３のＸ−Ｘ矢視断面図である。
【符号の説明】
【００１８】
１  運搬部
２  肩ベルト
３  補助ベルト
４  バックル
５  可動パッド
５ａ〜５ｅ  布帛
６  ガイド
７，９  縫い糸
８  磁石
１０  ポケット
【図１】
2005253864.tif 000003
【図２】
2005253864.tif 000004
【図３】
2005253864.tif 000005
【図４】
2005253864.tif 000006